(57)【特許請求の範囲】
【請求項１】
ロータブレードであって、
表１に記載したデカルト座標Ｘ、Ｙ及びＺに従った基準表面輪郭を有し、
前記表１において、Ｘ及びＹは、滑らかな連続円弧によって接続されると、ミリメートルで表した各距離Ｚにおける翼形部輪郭セクションを形成するミリメートルで表した距離であり、
前記Ｚ距離における前記翼形部輪郭セクションが、互いに滑らかに結合されて完全な翼形部形状を形成する、
ロータブレード。
【請求項２】
前記表１に記載したデカルト座標Ｘ、Ｙ及びＺに従った基準表面輪郭が、前記完全な翼形部形状の任意の表面に対して垂直な方向における＋／−１ミリメートルの範囲内の点を含む、請求項１に記載のロータブレード。
【請求項３】
ロータブレード高さの約２．２１％から始まって該ロータブレード高さの約６０％に至るまでの該ロータブレードの最大厚さ（Ｔｍａｘ）が、
Ｔｍａｘ＝−０．８６４６＊ｈ＋１．１０８７、（ここで、ｈは、ブレード高さ百分率である）によって表され、
前記ロータブレード高さの約６０％〜約８０％の範囲にある第１の後続領域における該ロータブレードの最大厚さが、
Ｔｍａｘ＝−１．０２０９＊ｈ＋１．２０５８、（ここで、ｈは、ブレード高さ百分率である）によって表され、また
前記ロータブレード高さの８０％〜１００％の範囲にある第２の後続領域における該ロータブレードの最大厚さが、
Ｔｍａｘ＝−０．７６１８＊ｈ＋０．９９８５、（ここで、ｈは、ブレード高さ百分率である）によって表される、
請求項１または２に記載のロータブレード。
【請求項４】
ロータブレードであって、
プラットフォームと、
前記プラットフォームに連結された該ロータブレードの根元部分と、
先端部分で終端しかつ断面翼形形状を有するブレード表面と、
を含み、
該ロータブレードの厚さが、３つの異なる一次関数に従いロータブレード高さの関数として変化し、
該ロータブレードが、表１に記載したデカルト座標Ｘ、Ｙ及びＺに従った基準表面輪郭を有し、
前記表１において、Ｘ及びＹは、滑らかな連続円弧によって接続されると、ミリメートルで表した各距離Ｚにおける翼形部輪郭セクションを形成するミリメートルで表した距離であり、
前記Ｚ距離における前記翼形部輪郭セクションが、互いに滑らかに結合されて完全な翼形部形状を形成する、
ロータブレード。
【請求項５】
ロータブレード高さの約２．２１％から始まって該ロータブレード高さの約６０％に至るまでの該ロータブレードの最大厚さ（Ｔｍａｘ）が、
Ｔｍａｘ＝−０．８６４６＊ｈ＋１．１０８７、（ここで、ｈは、ブレード高さ百分率である）として前記３つの一次関数の第１のものによって表され、
前記ロータブレード高さの約６０％〜約８０％の範囲にある第１の後続領域における該ロータブレードの最大厚さが、
Ｔｍａｘ＝−１．０２０９＊ｈ＋１．２０５８、（ここで、ｈは、ブレード高さ百分率である）として前記３つの一次関数の第２のものによって表され、また
前記ロータブレード高さの８０％〜１００％の範囲にある第２の後続領域における該ロータブレードの最大厚さが、
Ｔｍａｘ＝−０．７６１８＊ｈ＋０．９９８５、（ここで、ｈは、ブレード高さ百分率である）として前記３つの一次関数の第３のものによって表される、
請求項４に記載のロータブレード。
【請求項６】
前記表１に記載したデカルト座標Ｘ、Ｙ及びＺに従った基準表面輪郭が、前記完全な翼形部形状の任意の表面に対して垂直な方向における＋／−１ミリメートルの範囲内の点を含む、請求項４または５に記載のロータブレード。
【請求項７】
ターボ機械であって、
駆動シャフトと、
少なくとも１つのロータホイールと、
前記ロータホイール上に取付けられた複数の円周方向に間隔を置いて配置されたロータブレードと、
ステータと、
前記ステータに取付けられた複数の円周方向に間隔を置いて配置されたステータブレードと、
を含み、
前記複数のロータブレード及び複数のステータブレードの少なくとも１つが、
プラットフォームと、
前記プラットフォームに連結された、該複数のロータブレード及び複数のステータブレードの少なくとも１つの根元部分と、
先端部分で終端しかつ断面翼形形状を有するブレード表面と、をさらに含み、
前記複数のロータブレード及び複数のステータブレードの少なくとも１つの厚さが、３つの異なる一次関数に従いロータブレード高さの関数として変化し、
前記複数のロータブレード及び複数のステータブレードの少なくとも１つが、表１に記載したデカルト座標Ｘ、Ｙ及びＺに従った基準表面輪郭を有し、
前記表１において、Ｘ及びＹは、滑らかな連続円弧によって接続されると、ミリメートルで表した各距離Ｚにおける翼形部輪郭セクションを形成するミリメートルで表した距離であり、
前記Ｚ距離における前記翼形部輪郭セクションが、互いに滑らかに結合されて完全な翼形部形状を形成し、
前記表１に記載したデカルト座標Ｘ、Ｙ及びＺに従った基準表面輪郭が、前記完全な翼形部形状の任意の表面に対して垂直な方向における＋／−１ミリメートルの範囲内の点を含む、
ターボ機械。
【請求項８】
ブレード高さの約２．２１％から始まって該ブレード高さの約６０％に至るまでの前記複数のロータブレード及び複数のステータブレードの少なくとも１つの最大厚さ（Ｔｍａｘ）が、
Ｔｍａｘ＝−０．８６４６＊ｈ＋１．１０８７、（ここで、ｈは、ブレード高さ百分率である）として前記３つの一次関数の第１のものによって表され、
前記ブレード高さの約６０％〜約８０％の範囲にある第１の後続領域における前記複数のロータブレード及び複数のステータブレードの少なくとも１つの最大厚さが、
Ｔｍａｘ＝−１．０２０９＊ｈ＋１．２０５８、（ここで、ｈは、ブレード高さ百分率である）として前記３つの一次関数の第２のものによって表され、
前記ブレード高さの８０％〜１００％の範囲にある第２の後続領域における前記複数のロータブレード及び複数のステータブレードの少なくとも１つの最大厚さが、
Ｔｍａｘ＝−０．７６１８＊ｈ＋０．９９８５、（ここで、ｈは、ブレード高さ百分率である）として前記３つの一次関数の第３のものによって表される、
請求項７に記載のターボ機械。
【発明の詳細な説明】
【技術分野】
【０００１】
本発明は、総括的には翼形部に関し、より具体的には、例えばガスタービンの一部として圧縮機で使用する翼形部形状に関する。
【背景技術】
【０００２】
圧縮機は、機械エネルギーの使用により、気体粒子を加速させて、最終的には例えば気体のような圧縮性流体の圧力を上昇させる機械である。圧縮機は、ガスタービンエンジンの最初の段として作動させることを含む多くの異なる用途で使用される。様々な形式の圧縮機には、その中で例えばそれにより圧縮性流体が流れるようにする遠心インペラ（「ロータ」とも呼ぶことがある）を回転させることによって、機械エネルギーにより遠心加速による圧縮機への気体投入を行ういわゆる遠心圧縮機と、各段としてそれに対して取付けられた幾つかの環状翼形部列（ブレード）を有するドラムを備えた軸流圧縮機とがある。ドラムに取付けられた翼形部は、固定ケーシングに取付けられた同じ数の固定翼形部列間で回転する。より一般的には、軸流及び遠心圧縮機は、「ターボ機械」又は「ターボ回転機械」として知られる機械の部類の一部であるということができる。
【０００３】
ガスタービンエンジンでは、ガスタービン流路セクションの各段において多くのシステム要件が満たされて設計目標を満たすようにしなければならない。これらの設計目標には、それに限定されないが、効率及び翼形部負荷能力の全体的向上が含まれる。例えば、また本発明を決して限定するものではないが、圧縮機ステータのブレードは、その中に該ブレードが設置されている特定の段と関連した熱的及び機械的作動要件を達成しなければならない。同様に、またさらに単なる例示的な実施例として、圧縮機ロータのブレードもまた、その中に該ブレードが設置されているガスタービンの特定の段と関連した熱的及び機械的作動要件を達成しなければならない。
【発明の概要】
【発明が解決しようとする課題】
【０００４】
具体的には、そのようなブレードの表面が該ブレードの共振周波数を調整して全体としてターボ機械の運転特性に適応するような形状になることを保証することが望ましいことになる。
【０００５】
例示的な実施形態による装置、システム及び方法により、運転特性を最適にするような特定の形状を有する、例えばターボ機械と関連したロータ又はステータの一部としてのブレードが得られる。とりわけ、ブレード高さの関数としてのブレード厚さは、ターボ機械の運転特性に合わせて調整することができる。
【課題を解決するための手段】
【０００６】
例示的な実施形態によると、ロータブレードは、表１に記載したようなデカルト座標Ｘ、Ｙ及びＺに実質的に従った基準表面輪郭を有し、前記表１において、Ｘ及びＹは、滑らかな連続円弧によって接続されると、ミリメートルで表した各距離Ｚにおける翼形部輪郭セクションを形成するミリメートルで表した距離であり、またＺ距離における翼形部輪郭セクションは、互いに滑らかに結合されて完全な翼形部形状を形成する。
【０００７】
別の例示的な実施形態によると、ロータブレードは、プラットフォームと、プラットフォームに連結された該ロータブレードの根元部分と、先端部分で終端しかつ断面翼形形状を有するブレード表面とを含み、該ロータブレードの厚さは、３つの異なる一次関数に従いロータブレード高さの関数として変化する。
【０００８】
さらに別の例示的な実施形態によると、ターボ機械は、駆動シャフトと、少なくとも１つのロータホイールと、ロータホイール上に取付けられた複数の円周方向に間隔を置いて配置されたロータブレードと、ステータと、ステータに取付けられた複数の円周方向に間隔を置いて配置されたステータブレードとを含み、複数のロータブレード及び複数のステータブレードの少なくとも１つは、プラットフォームと、プラットフォームに連結された該複数のロータブレード及び複数のステータブレードの少なくとも１つの根元部分と、先端部分で終端しかつ断面翼形形状を有するブレード表面とをさらに含み、複数のロータブレード及び複数のステータブレードの少なくとも１つの厚さは、３つの異なる一次関数に従いロータブレード高さの関数として変化する。
【０００９】
添付図面は、例示的な実施形態を示している。
【図面の簡単な説明】
【００１０】
【図１】その中に例示的な実施形態によるブレード形状を実装することができる例示的な軸流圧縮機を示す図。
【図２】例示的な実施形態によるロータブレードの負圧側面を示す図。
【図３】例示的な実施形態によるロータブレードの正圧側面を示す図。
【図４】例示的な実施形態による点の軌跡を定めるために使用する座標系と関連した態様を示す図。
【図５】例示的な実施形態によるブレード高さの関数としてのブレード厚さを示すグラフ図。
【発明を実施するための形態】
【００１１】
例示的な実施形態の以下の詳細な説明は、添付図面を参照する。異なる図面における同じ参照符号は、同じ又は同様の要素を表している。また、以下の詳細な説明は、本発明を限定するものではない。言うまでもなく、本発明の技術的範囲は、特許請求の範囲によって定まる。
【００１２】
例示的な実施形態による翼形部形状に関連する次の説明における幾つかの状況を示すために、最初に軸流圧縮機に関する簡潔な説明を行う。軸流圧縮機では、ロータブレードは、空気流れに対して運動エネルギーを与え、従って圧縮機にわたり所望の圧力上昇を生じさせる。ロータ翼形部に直ぐ後続するのは、ステータ翼形部の段である。ロータ及びステータ翼形部の両方は、空気流を方向転換させ、空気流速度を低下させ（関連するそれぞれの翼形部フレームにおいて）、かつ空気流の静圧の上昇を生じさせる。
【００１３】
例えば、その周辺表面（輪郭）を含む翼形部の構成（並びに周囲翼形部とのその相互作用）により、これらの例示的な実施形態の他の望ましい態様の中でも、段空気流効率、空気力学性、段から段への滑らかな層流、熱応力の減少、段から段に空気流を効率的に流す段の相互関係の強化、及び機械的応力の減少が決定される。一般的に、複数列のロータ／ステータ段は、軸流圧縮機として積み重ねられて、所望の吐出量対入口圧力比を達成する。ロータ及びステータ翼形部は、その実施例を下記に説明している「根元」、「基部」又は「ダブテール」として知られることが多い適切な取付け構成によって、ロータホイール又はステータケースに取付けることができる。
【００１４】
図１は、例えばガスタービン圧縮機と関連した例示的な軸流圧縮機１００を示している。上述したように、軸流圧縮機は一般的に、例えば１７段又は１８段のような複数の圧縮機段を含むが、例示的な実施形態による軸流圧縮機は、あらゆる数のロータ段及びステータ段を含むことができることは当業者には分かるであろう。図１に示す軸流圧縮機の段１００は、ロータホイール又はドラム１０４上に取付けられた複数の円周方向に間隔を置いて配置されたロータブレード１０２及び固定圧縮機ケース１０８に取付けられた複数の円周方向に間隔を置いて配置されたステータブレード１０６を含む。
【００１５】
ロータホイール１０４の各々は、エンジンのタービンセクション（図示せず）に連結された後部駆動シャフト１１０に取付けられる。ロータブレード１０２及びステータブレード１０６は、軸流圧縮機の流路内に配置される。この例示的な軸流圧縮機では、流路に沿った空気流の方向は、矢印１１２によって示している。この軸流圧縮機の段１００は、該軸流圧縮機の様々な段の単なる例示に過ぎないものであること、また該軸流圧縮機の図示しかつ説明した段１００は、何れにしても本発明を限定することを意図するものではないことが分かるであろう。
【００１６】
例示的な実施形態によるロータブレード１０２は、該ロータブレード１０２の両側面を示す図２及び図３により詳細に示している。具体的には、また本発明を限定するものではないが、これらの例示的な実施形態によるそのようなロータブレード１０２は、図１に示したのと同様の軸流圧縮機の第１段において、つまりプロセス流れと関連した入口に最も近い段において使用することができる。具体的には、図２は、例示的な実施形態によるロータブレード１０２の負圧側面を示しており、一方、図３は、同じロータブレード１０２の正圧側面を示しており、これら負圧側面及び正圧側面は、圧縮機流路１１２に対して図示するような前縁（ＬＥ）及び後縁（ＴＥ）を有する。例えば、各ロータブレード１０２には、プラットフォーム２００及びほぼ軸方向（又は軸方向に近い）挿入ダブテール２０２を設けることができ、ほぼ軸方向挿入ダブテール２０２は、ロータホイール１０４上の相補形噛合いダブテール（図示せず）と連結するようにすることができる。さらに、各ロータブレード１０２は、下記でより詳細に説明するように、そのあらゆる断面において、つまりその全体的形状における翼形部根元２０６からロータブレード先端２０８までにおいて輪郭を有するロータブレード翼形部２０４を含む。
【００１７】
例示的な実施形態によるロータブレード翼形部２０４の翼形形状を形成するために、空間内における点の組又は軌跡を下記の表１に示している。図２及び図３における例示的なロータブレード１０２は、１６個のセクションラインを有していることを見ることができるが、あらゆる数のセクションを形成することができることが当業者には分かるであろう。この点の組又は軌跡は、単一セクション又は複数セクションと関連したセクション要件を満たすように意図したものであり、ロータブレード１０２は、それらを使用してセクションを製造することができるようになる。この点の軌跡はまた、段効率における所望の仕様並びに熱及び機械的応力の減少に適合するように意図したものである。この点の軌跡は、空気力学的負荷及び機械的負荷間で反復させかつ例示的な実施形態により設計した圧縮機を効率的な、安全なまた円滑な状態で作動させるのを可能にするシミュレーションによって得られる。
【００１８】
より具体的には、軌跡は、例示的な実施形態によるロータブレード翼形部輪郭を形成しかつエンジンの回転軸線に対して定めた点の組を含むことができる。例えば、Ｘ、Ｙ及びＺ値のデカルト座標系を定めかつ使用して、軌跡における点を表現することができる。デカルト座標系は、直交関係のＸ、Ｙ及びＺ軸を有する。この例示的な実施形態によると、図４に示すように、Ｘ軸は、エンジンの中心線に平行に位置する。従って、正のＸ座標値は、後方に向かう、例えば軸流圧縮機の排出端部に向かう軸方向である。正のＹ座標値は、エンジンの反時計回転方向に沿うように円周方向に向いている。正のＺ座標値は、翼形部２０４の先端部に向けて半径方向外向きに、つまり圧縮機の固定ケーシング１０８に向かう方向に向いている。基準目的のためのみに、図４に示すように、スタッキング軸線に沿って翼形部２０４及びプラットフォーム２００の交差部を通るゼロ（０）点を設定している。これらの例示的な実施形態による翼形部のこの例示的な実施形態では、ゼロ（０）点は、下記の表１のＺ座標がエンジン又はロータ中心線から設定した所定の距離である４１６．９７ミリメートルにあるような基準セクションとして定められる。例示的な実施形態によるロータブレード１０２の表面を形成する点に関する表１を下記に示している。
【００１９】
【表１】
0006055172.tif 000002
【００２０】
0006055172.tif 000003
【００２１】
0006055172.tif 000004
【００２２】
0006055172.tif 000005
【００２３】
0006055172.tif 000006
【００２４】
0006055172.tif 000007
【００２５】
0006055172.tif 000008
【００２６】
0006055172.tif 000009
【００２７】
0006055172.tif 000010
【００２８】
0006055172.tif 000011
【００２９】
0006055172.tif 000012
【００３０】
0006055172.tif 000013
【００３１】
0006055172.tif 000014
【００３２】
0006055172.tif 000015
【００３３】
0006055172.tif 000016
【００３４】
0006055172.tif 000017
【００３５】
0006055172.tif 000018
【００３６】
0006055172.tif 000019
【００３７】
0006055172.tif 000020
【００３８】
0006055172.tif 000021
【００３９】
0006055172.tif 000022
【００４０】
0006055172.tif 000023
【００４１】
0006055172.tif 000024
【００４２】
0006055172.tif 000025
【００４３】
0006055172.tif 000026
【００４４】
0006055172.tif 000027
【００４５】
0006055172.tif 000028
【００４６】
0006055172.tif 000029
【００４７】
0006055172.tif 000030
【００４８】
0006055172.tif 000031
【００４９】
0006055172.tif 000032
【００５０】
0006055172.tif 000033
【００５１】
0006055172.tif 000034
【００５２】
0006055172.tif 000035
【００５３】
0006055172.tif 000036
【００５４】
0006055172.tif 000037
【００５５】
例示的な実施形態によると、上記に記載した点に関する表１に従ってロータブレード１０２を製造することによって、ロータブレード１０２の厚さは、例えばロータブレード１０２の動きと関連した共振周波数を移動させて、例えば材料疲労と関連した設計マージンを向上させるように、ブレード高さに沿って連続して変化する。この厚さにおける変化は、例えば図５のプロットで見ることができる。その点で、ブレード高さの約２．２１％（つまり、ブレードフィレット半径の直ぐ上方）から始まってブレード高さの約６０％に至るまでのロータブレードのプラットフォーム２００に最も近い最初の領域では、この例示的な実施形態によるロータブレード１０２の最大厚さは、次の一次関数、つまり
Ｔｍａｘ＝−０．８６４６＊ｈ＋１．１０８７（ここで、ｈは、ブレード高さ百分率である）
によって表すことができる。ロータブレード高さの６０％〜８０％の範囲にある後続領域では、ロータブレード１０２の最大厚さは、次の一次関数、つまり
Ｔｍａｘ＝−１．０２０９＊ｈ＋１．２０５８（ここで、ｈは、ブレード高さ百分率である）
によって変化する。ブレード高さの８０％〜１００％（つまり、ブレードの自由端部まで）の範囲にある後続領域では、ロータブレード１０２の最大厚さは、次の一次関数、つまり
Ｔｍａｘ＝−０．７６１８＊ｈ＋０．９９８５（ここで、ｈは、ブレード高さ百分率である）
により変化する。
【００５６】
従って、関数５００が例示的な実施形態におけるブレード高さの関数としてのロータブレード厚さを示しておりまた関数５０２がベースライン設計における同じブレード高さの関数としてのロータブレード厚さを示している図５のプロット図において、例示的な実施形態では、ブレード高さの約第１の７５％（ここで２つの関数が交差する）までにわたりより厚肉のロータブレードが形成され、またその後はベースライン設計に比較してより薄肉のロータブレードが形成さることを理解することができる。しかしながら、これらの例示的な関数は説明のためのものであること、また下記で説明するように表１に記載した点における幾らかの変動が予測されることになることが分かるであろう。
【００５７】
表１は例示的な実施形態による翼形部２０４の形状を完全に形成するのに十分なデータを示していることが、当業者には分かるであろう。例えば、Ｘ、Ｙ平面に対して垂直なＺ方向の選択位置においてＸ及びＹ座標値を定めることによって、翼形部の長さに沿った各Ｚ距離におけるロータブレード翼形部２０４の輪郭セクションを確定することができる。Ｘ及びＹ値を滑らかな連続円弧で接続することによって、各距離Ｚにおける翼形部２０４の各輪郭セクションを確定することができる。距離Ｚ間における様々な表面位置の翼形部輪郭は、隣接する輪郭セクションを互いに滑らかに接続することによって決定され、これにより翼形部２０４の輪郭が形成される。上記に表１において記載した値は、周囲温度つまり非作動又は非高温状態での例示的な実施形態による翼形部輪郭を表しておりかつ被膜のない翼形部についてのものである。
【００５８】
表１に示した表形式値は、翼形部２０４の輪郭を決定するために小数点以下２桁まで作成しかつ示している。翼形部の実際の輪郭においては考慮しなければならない一般的な製造公差並びに皮膜が存在する。従って、表１に示した輪郭用の値は、基準翼形部２０４のためのものであることが当業者には分かるであろう。従って、これらの例示的な実施形態によって包含される実際の値は、表１に示した丁度その値に限定されるものではなく、それよりもむしろ、表に明記したものの近くの値の範囲を含むことを意図していることが分かるであろう。
【００５９】
例えば、包含される値は、一般的な製造公差をプラスするか又はマイナスし、並びに／或いは翼形部２０４上に使用したあらゆる皮膜厚さをプラスするか又はマイナスしなければならない。従って、翼形部輪郭に沿った任意の表面位置に対して垂直な方向における約＋／−１．０ｍｍ（ミリメートル）の距離は、これらの例示的な実施形態によるロータブレード翼形部設計及び圧縮機に対する翼形部輪郭エンベロープを定める。言い換えれば、翼形部輪郭に沿った任意の表面位置に対して垂直な方向における約＋／−１．０ｍｍ、好ましくは約＋／−０．５ｍｍの距離により、基準の低温又は常温での実際の翼形部表面上の測定点と例示的な実施形態による同一温度でのこれらの点の理想的な位置との間における変動の範囲が定まる。
【００６０】
さらに、これらの例示的な実施形態による翼形部２０４の形状はまた、ガスタービンエンジン内で運転状態になると、その低温又は常温製造形状からその加熱形状に変化することになることは当業者には分かるであろう。翼形部２０４が実作動状態に加熱すると、応力及び温度により、表１に示した低温又は常温点のＸ、Ｙ、Ｚ値の変化が生じることになる。従って、例示的な実施形態ではさらに、通常運転時における翼形部２０４の加熱と関連した変動を包含することを意図している。
【００６１】
これらの例示的な実施形態によって具現化された翼形部は、第１段ロータ形状としての用途を見出すことができる。Ｘ、Ｙ及びＺ座標における座標値は、ミリメートルで記載しているが、その値が適切に変換される時にはその他の寸法の単位も使用することができる。これらの値は、プラットフォームのフィレット領域を除外している。
【００６２】
上記の例示的な実施形態は、本発明を限定するのではなく全ての点において例示することを意図している。従って、本発明は、本明細書に包含された説明から当業者が導き出すことができる詳細な実施における多くの変形形態が可能である。全てのそのような変形形態及び修正形態は、特許請求の範囲によって定まる本発明の技術的範囲及び技術思想の範囲内にあると考えられる。本出願の説明で使用した要素、行為又は指示は、そうではないことを明確に説明していない限り、本発明に極めて重要なもの又は不可欠なものとして解釈すべきではない。また、本明細書で使用する場合に、数詞のない表現は、１つ又はそれ以上のアイテムを含むことを意図している。
【符号の説明】
【００６３】
１００  軸流圧縮機
１０２  ロータブレード
１０４  ロータホイール
１０６  ステータブレード
１０８  固定圧縮機ケース
１１０  後部駆動シャフト
１１２  圧縮機流路
２００  プラットフォーム
２０２  軸方向挿入ダブテール
２０４  ロータブレード翼形部
２０６  翼形部根元
２０８  ロータブレード先端部
ＬＥ  前縁
ＴＥ  後縁
【図１】
0006055172.tif 000038
【図２】
0006055172.tif 000039
【図３】
0006055172.tif 000040
【図４】
0006055172.tif 000041
【図５】
0006055172.tif 000042